(57)【要約】【課題】農業用のパイプハウスにおいて、空調設備等を備えていても、ランニングコストを低減することが可能なパイプハウスを提供する。【解決手段】複数の構造材によって構成される骨格と骨格を覆う被覆シートとを備える農業用のパイプハウス１は、パイプハウス１の中の少なくとも温度を調整するための空調設備４と、パイプハウス１の中の農作物に水を与えるための灌水設備５と、パイプハウス１の中の土壌を保温するための土壌保温設備８と、パイプハウス１の中に空気の流れを発生させるための送風機６と、パイプハウス１の屋根に取り付けられるフィルム状の太陽電池を有する太陽光再生エネルギー電気発電装置３とを備えている。パイプハウス１では、空調設備４、灌水設備５、土壌保温設備８および送風機６は、太陽光再生エネルギー電気発電装置３から供給される電力で稼働する。【選択図】図２
0003221077.tif 000002
【実用新案登録請求の範囲】
【請求項１】
複数の構造材によって構成される骨格と、前記骨格を覆う被覆シートとを備える農業用のパイプハウスにおいて、
前記パイプハウスの中の少なくとも温度を調整するための空調設備と、前記パイプハウスの中の農作物に水を与えるための灌水設備と、前記パイプハウスの中の土壌を保温するための土壌保温設備と、前記パイプハウスの中に空気の流れを発生させるための送風機と、前記パイプハウスの屋根に取り付けられる太陽光再生エネルギー電気発電シートまたはフィルムを有し太陽光による再生エネルギー電気を発生させる太陽光再生エネルギー電気発電装置とを備え、
前記空調設備、前記灌水設備、前記土壌保温設備および前記送風機は、前記太陽光再生エネルギー電気発電装置から供給される電力で稼働し、外部からは電力を導入しないことを特徴とするワイヤレス植物栽培工場用のパイプハウス。
【請求項２】
前記太陽光再生エネルギー電気発電装置は、蓄電池を備えることを特徴とする請求項１記載のパイプハウス。
【請求項３】
前記空調設備、前記灌水設備、前記土壌保温設備および前記送風機を制御する制御装置を備えることを特徴とする請求項１または２記載のパイプハウス。
【請求項４】
前記パイプハウスの中に設置される照明を有し前記太陽光再生エネルギー電気発電装置から供給される電力で稼働する照明設備を備えることを特徴とする請求項１から３のいずれかに記載のパイプハウス。
【請求項５】
前記灌水設備には、井戸水が供給されることを特徴とする請求項１から４のいずれかに記載のパイプハウス。
【請求項６】
前記灌水設備は、前記井戸水を貯める貯水槽を備えることを特徴とする請求項５記載のパイプハウス。
【請求項７】
前記太陽光再生エネルギー電気発電シートまたはフィルムは、遮光性または透光性を有する有機薄膜または無機薄膜の発電シートまたはフィルムであり、
陰性植物、半陰性植物、または、陽性植物が前記パイプハウスの中で栽培されることを特徴とする請求項１から６のいずれかに記載のパイプハウス。
【考案の詳細な説明】
【技術分野】
【０００１】
本考案は、ワイヤレス植物栽培工場用のパイプハウスに関する。
【背景技術】
【０００２】
従来、植物の栽培に使用される農地転用届の必要のない農業用のパイプハウスが知られている（たとえば、特許文献１参照）。特許文献１に記載のパイプハウスは、複数のパイプによって構成されるパイプハウスの骨格と、パイプハウスの骨格を覆う被覆部材とを備えている。
【先行技術文献】
【特許文献】
【０００３】
【特許文献１】特開２００８−３５８０９号公報
【考案の概要】
【考案が解決しようとする課題】
【０００４】
農業用のパイプハウスでは、パイプハウスの中の温度を、パイプハウスの中で栽培される農作物に適した温度に維持するために、パイプハウスの中に空調設備が設置されることがある。空調設備は、温風発生機等を備えているが、空調設備には、外部からの電力の供給が必要になるため、空調設備を備えるパイプハウスでは、ランニングコストが高くなる。
【０００５】
そこで、本考案の課題は、農業用のパイプハウスにおいて、空調設備等を備えていても、ランニングコストを極減することが可能なパイプハウスを提供することにある。
【課題を解決するための手段】
【０００６】
上記の課題を解決するため、本考案のパイプハウスは、複数の構造材によって構成される骨格と、骨格を覆う被覆シートとを備える農業用のパイプハウスにおいて、パイプハウスの中の少なくとも温度を調整するための空調設備と、パイプハウスの中の農作物に水を与えるための灌水設備と、パイプハウスの中の土壌を保温するための土壌保温設備と、パイプハウスの中に空気の流れを発生させるための送風機と、パイプハウスの屋根に取り付けられる太陽光再生エネルギー電気発電シートまたはフィルムを有し太陽光による再生エネルギー電気を発生させる太陽光再生エネルギー電気発電装置とを備え、空調設備、灌水設備、土壌保温設備および送風機は、太陽光再生エネルギー電気発電装置から供給される電力で稼働し、外部からは電力を導入しないことを特徴とし、完全独立型ワイヤレス植物栽培工場として使用することができる。
【０００７】
本考案のパイプハウスでは、パイプハウスの屋根に取り付けられた太陽光再生エネルギー電気発電シートまたはフィルムを有し太陽光による再生エネルギー電気を発生させる太陽光再生エネルギー電気発電装置から供給される電力で、空調設備、灌水設備、土壌保温設備および送風機が稼働している。そのため、本考案では、パイプハウスが空調設備等を備えていても、パイプハウスのランニングコストをほぼゼロに極減することが可能になる。また、本考案では、太陽光再生エネルギー電気発電シートまたはフィルムの重量は軽いため、太陽光再生エネルギー電気発電シートまたはフィルムがパイプハウスの屋根に取り付けられていても、太陽光再生エネルギー電気発電シートまたはフィルムの重量に起因するパイプハウスの屋根の変形を防止することが可能になる。さらに、本考案では、化石燃料を使用せずに、空調設備、灌水設備、土壌保温設備および送風機を稼働させることができるため、二酸化炭素の排出量を抑制することが可能になり、その結果、環境負荷を低減することが可能になる。
【０００８】
また、本考案のパイプハウスは、灌水設備、土壌保温設備および太陽光再生エネルギー電気発電装置を備えているため、自然災害等の災害の発生時にも、パイプハウスにおいて水および電気を使用することが可能になるとともに、食用植物を栽培することが可能になる。したがって、本考案では、災害発生時に、パイプハウスを緊急避難場所（生活自立型緊急避難場所）として利用することが可能になる。たとえば、パイプハウスが山間僻地や住居孤立地域（少数住居部落）に設置されていれば、災害発生時に、パイプハウスを緊急避難場所として利用することができる。また、近隣の被災地域の家庭への送電も可能になる。また、本考案では、外部からの電力供給がなくても、パイプハウスの中で野菜等の食用植物を栽培することができるため、災害発生時にも、パイプハウスにおいて食料を確保することが可能になる。したがって、本考案では、災害発生時に、パイプハウスを臨時の自給自足の緊急避難場所とすることが可能になるとともに暫定期間内の生活場所とすることが可能になる。
【０００９】
本考案において、太陽光再生エネルギー電気発電装置は、蓄電池を備えることが好ましい。このように構成すると、太陽電池で得られる電力を無駄にすることなく、有効利用することが可能になる。また、余剰電力を隣接する住居に提供することが可能になるため、災害発生時の停電に対する緊急対応が可能になる。
【００１０】
本考案において、パイプハウスは、空調設備、灌水設備、土壌保温設備および送風機を制御する制御装置を備えることが好ましい。このように構成すると、パイプハウスの中の温度調整等を自動で行うことが可能になるため、パイプハウスを利用して農作物を作る作業者の作業負担を軽減することが可能になる。また、パイプハウスを通年連続栽培可能な独立型ワイヤレス植物栽培工場として使用することができる。
【００１１】
本考案において、パイプハウスは、パイプハウスの中に設置される照明を有し太陽光再生エネルギー電気発電装置から供給される電力で稼働する照明設備を備えることが好ましい。このように構成すると、照明から照射される光を利用して、パイプハウスの中で農作物を育成することが可能になる。また、このように構成すると、パイプハウスが緊急避難場所として利用される場合に、夜間においてもパイプハウスの中を明るくすることが可能になる。
【００１２】
本考案において、灌水設備には、井戸水が供給されることが好ましい。この場合には、たとえば、灌水設備は、井戸水を貯める貯水槽を備えている。このように構成すると、災害発生時に、水道が使用できなくなっても、パイプハウスにおいて水を使用することが可能になる。したがって、水道が使用できなくなるような災害が発生しても、パイプハウスを緊急避難場所として利用することが可能になる。
【００１３】
本考案において、たとえば、太陽光再生エネルギー電気発電シートまたはフィルムは、遮光性または透光性を有する有機薄膜または無機薄膜の発電シートまたはフィルムであり、陰性植物、半陰性植物、または、陽性植物がパイプハウスの中で栽培される。この場合には、たとえば、パイプハウスの中に差し込む日差しが太陽電池によって遮られても、パイプハウスの中で農作物を栽培することが可能になる。また、陽性植物を栽培することも可能になる。
【考案の効果】
【００１４】
以上のように、本考案では、農業用のパイプハウスが空調設備等を備えていても、パイプハウスのランニングコストを極減することが可能になる。
【図面の簡単な説明】
【００１５】
【図１】本考案の実施の形態にかかる農業用のパイプハウスの構成を説明するための概略図である。
【図２】図１に示すパイプハウスの構成を説明するためのブロック図である。
【考案を実施するための形態】
【００１６】
以下、図面を参照しながら、本考案の実施の形態を説明する。
【００１７】
（パイプハウスの構成）
図１は、本考案の実施の形態にかかる農業用のパイプハウス１の構成を説明するための概略図である。図２は、図１に示すパイプハウス１の構成を説明するためのブロック図である。
【００１８】
本形態の農業用のパイプハウス１は、複数の構造材によって構成されるパイプハウス１の骨格と、骨格を覆う被覆シートとを備えるパイプハウスである。構造材は、たとえば、樹脂製または金属製のパイプ、丸棒または角材である。被覆シートは、透明または不透明な樹脂シートである。パイプハウス１の中では、農作物が栽培されている。本形態では、陰性植物または半陰性植物がパイプハウス１の中で栽培されている。具体的には、薬用植物である朝鮮人参がパイプハウス１の中で栽培されている。朝鮮人参は、パイプハウス１の中の地面に形成される畝に直植えされている。あるいは、朝鮮人参は、パイプハウス１の中に設置された棚や台に載置されるポット、プランターあるいは栽培箱に植えられている。
【００１９】
パイプハウス１は、パイプハウス１の屋根に取り付けられる太陽光再生エネルギー電気発電シートまたはフィルム２を有し太陽光による再生エネルギー電気を発生させる太陽光再生エネルギー電気発電装置（太陽光発電装置）３と、パイプハウス１の中の温度および湿度を調整するための空調設備４と、パイプハウス１の中の農作物（すなわち、朝鮮人参）に水を与えるための灌水設備（散水設備）５と、パイプハウス１の中の土壌を保温するための土壌保温設備８と、パイプハウス１の中に空気の流れを発生させるための送風機６とを備えている。また、パイプハウス１は、空調設備４、灌水設備５、土壌保温設備８および送風機６を制御する制御装置７を備えている。
【００２０】
太陽光再生エネルギー電気発電シートまたはフィルム２（以下、「太陽電池２」とする。）は、遮光性または半透光性を有する遮光型または半透光型の有機薄膜または無機薄膜の発電シートまたはフィルムである。また、太陽電池２は、可撓性を有するフレキシブルなフィルムである。太陽電池２は、凸曲面状（アーチ状）に形成されるパイプハウス１の屋根の上面または下面に貼り付けられており、凸曲面状に形成されるパイプハウス１の屋根に沿って配置されている。太陽光再生エネルギー電気発電装置３は、蓄電池９を備えている。蓄電池９には、太陽電池２で得られる電力が充電される。また、太陽光再生エネルギー電気発電装置３は、太陽電池２に接続されるインバータ、コンバータおよび配電盤等を備えている。
【００２１】
空調設備４は、パイプハウス１の中の温度を検知するための温度センサと、パイプハウス１の中の湿度を検知するための湿度センサとを備えている。灌水設備５には、井戸水が供給されている。灌水設備５は、井戸水を貯める貯水槽１０を備えている。また、灌水設備５は、散水ヘッド１１や、貯水槽１０の水を散水ヘッド１１に送るポンプ等を備えている。さらに、灌水設備５は、朝鮮人参が植えられている土壌の湿度を検知するための湿度センサを備えている。土壌保温設備８は、パイプハウス１の中の土壌を温めるヒータを備えている。ヒータは、パイプハウス１の中の土壌に埋められている。また、土壌保温設備８は、パイプハウス１の中の土壌の温度を検知するための温度センサを備えている。送風機６は、微風を発生させる微風送風機である。なお、パイプハウス１に微風を発生させることで、パイプハウス１の中で栽培される朝鮮人参にストレスを与えて、朝鮮人参の成長を促進させることができる。
【００２２】
空調設備４、灌水設備５、土壌保温設備８および送風機６には、太陽光再生エネルギー電気発電装置３から電力が供給されており、空調設備４、灌水設備、土壌保温設備８５および送風機６は、太陽光再生エネルギー電気発電装置３から供給される電力で稼働する。また、制御装置７には、太陽光再生エネルギー電気発電装置３から電力が供給されており、制御装置７は、太陽光再生エネルギー電気発電装置３から供給される電力で稼働する。すなわち、パイプハウス１には、外部から電力が供給されていない。
【００２３】
制御装置７は、空調設備４が有する温度センサや湿度センサの検知結果に基づいて空調設備４を駆動制御する。また、制御装置７は、灌水設備５が有する湿度センサの検知結果に基づいて灌水設備５を駆動制御する。あるいは、制御装置７は、一定の時間間隔で一定時間、灌水設備５から農作物（朝鮮人参）に水を与える。また、制御装置７は、土壌保温設備８が有する温度センサの検知結果に基づいてヒータを駆動制御する。また、制御装置７は、たとえば、一定の時間間隔で一定時間、送風機６を駆動する。このように、パイプハウス１では、ＩＣＴ（Ｉｎｆｏｒｍａｔｉｏｎ  ａｎｄ  Ｃｏｍｍｕｎｉｃａｔｉｏｎ  Ｔｅｃｈｎｏｌｏｇｙ、情報通信技術）が活用されている。
【００２４】
（本形態の主な効果）
以上説明したように、本形態では、パイプハウス１の屋根に取り付けられた太陽電池２を有する太陽光再生エネルギー電気発電装置３から供給される電力で、空調設備４、灌水設備５、土壌保温設備８および送風機６が稼働している。そのため、本形態では、パイプハウス１が空調設備４、灌水設備５、土壌保温設備８および送風機６を備えていても、パイプハウス１のランニングコストをほぼゼロに極減することが可能になる。また、本形態では、太陽電池２がフィルム状に形成されており、太陽電池２の重量が軽いため、太陽電池２がパイプハウス１の屋根に取り付けられていても、太陽電池２の重量に起因するパイプハウス１の屋根の変形を防止することが可能になる。さらに、本形態では、化石燃料を使用せずに、空調設備４等を稼働させることができるため、二酸化炭素の排出量を抑制することが可能になり、その結果、環境負荷を低減することが可能になる。
【００２５】
本形態では、パイプハウス１が太陽光再生エネルギー電気発電装置３および灌水設備５を備えているため、自然災害等の災害の発生時にも、パイプハウス１において水および電気を使用することが可能になる。したがって、災害発生時には、パイプハウス１を緊急避難場所として利用することが可能になる。特に本形態では、灌水設備５に井戸水が供給されているため、災害発生時に、水道が使用できなくなっても、パイプハウス１において水を使用することが可能になる。したがって、水道が使用できなくなるような災害が発生しても、パイプハウス１を緊急避難場所として利用することが可能になる。また、本形態では、外部からの電力供給がなくても、パイプハウス１の中で農作物を栽培することができるため、災害発生時にも、パイプハウス１において食料を確保することが可能になる。したがって、災害発生時に、パイプハウス１を臨時の自給自足の生活場所とすることが可能になる。
【００２６】
本形態では、太陽光再生エネルギー電気発電装置３は、蓄電池９を備えている。そのため、本形態では、太陽電池２で得られる電力を無駄にすることなく、有効利用することが可能になる。また、本形態では、パイプハウス１が、空調設備４、灌水設備５、土壌保温設備８および送風機６を制御する制御装置７を備えているため、パイプハウス１の中の温度調整等を自動で行うことが可能になる。したがって、本形態では、パイプハウス１を利用して農作物を作る作業者の作業負担を軽減することが可能になる。
【００２７】
（他の実施の形態）
上述した形態において、パイプハウス１は、パイプハウス１の中に設置される照明１４を有する照明設備１５を備えていても良い。照明１４は、たとえば、ＬＥＤ照明である。照明設備１５には、太陽光再生エネルギー電気発電装置３から電力が供給されており、照明設備１５は、太陽光再生エネルギー電気発電装置３から供給される電力で稼働する。この場合には、パイプハウス１が緊急避難場所として利用される場合に、夜間においてもパイプハウス１の中を明るくすることが可能になる。
【００２８】
また、パイプハウス１が照明設備１５を備えている場合には、パイプハウス１の中で、陽性植物または半陰性植物が栽培されても良い。この場合には、照明１４から照射される光を利用して、パイプハウス１の中で農作物を育成することが可能になる。また、照明設備１５から照射される光を利用してパイプハウス１の中で農作物を育成する場合には、照明設備１５が、パイプハウス１の中の明るさを検知する明るさセンサを備えていて、制御装置７が、明るさセンサの検知結果に基づいて照明設備１５を駆動制御することが好ましい。また、パイプハウス１の中で、陽性植物または半陰性植物が栽培される場合には、太陽電池２は、透光性を有する光透過型の有機薄膜または無機薄膜の発電シートまたはフィルムでであっても良い。この場合には、照明設備１５がなくても、パイプハウス１の中で農作物を育成することが可能になる。
【００２９】
上述した形態において、パイプハウス１は、パイプハウス１の中の空気の入替えを行うための換気設備を備えていても良い。この場合には、換気設備は、太陽光再生エネルギー電気発電装置３から供給される電力で稼動する。また、制御装置７は、換気設備を駆動制御する。また、パイプハウス１は、パイプハウス１の中の二酸化炭素の濃度を調整するための二酸化炭素濃度調整設備を備えていても良い。この場合には、二酸化炭素濃度調整設備は、太陽光再生エネルギー電気発電装置３から供給される電力で稼動する。また、制御装置７は、二酸化炭素濃度調整設備を駆動制御する。
【００３０】
さらに、パイプハウス１は、パイプハウス１の中の農作物に液肥を供給する液肥供給設備を備えていても良い。この場合には、液肥供給設備は、太陽光再生エネルギー電気発電装置３から供給される電力で稼動する。また、制御装置７は、液肥供給設備を駆動制御する。また、パイプハウス１は、災害が発生した場合の緊急避難時に使用される各種の電源アダプタ１７を備えていても良い。電源アダプタ１７は、太陽光再生エネルギー電気発電装置３に接続されており、電源アダプタ１７には、太陽光再生エネルギー電気発電装置３から電力が供給される。
【００３１】
上述した形態において、空調設備４は、パイプハウス１の中の湿度を調整せずに温度のみを調整しても良い。この場合には、空調設備４は、湿度センサを備えていない。また、上述した形態において、太陽光再生エネルギー電気発電装置３は、蓄電池９を備えていなくても良い。また、灌水設備５は、貯水槽１０を備えていなくても良い。また、灌水設備５には、水道水が供給されても良い。さらに、上述した形態において、パイプハウス１は、制御装置７を備えていなくても良い。なお、太陽光再生エネルギー電気発電装置３で発電された余剰の電力は、売電されても良い。
【符号の説明】
【００３２】
１  パイプハウス
２  太陽電池
３  太陽光再生エネルギー電気発電装置
４  空調設備
５  灌水設備
６  送風機
７  制御装置
８  土壌保温設備
９  蓄電池
１０  貯水槽
１４  照明
１５  照明設備
【図１】
0003221077.tif 000003
【図２】
0003221077.tif 000004